(57)【要約】      （修正有）【課題】肩紐を斜め方向に位置安定化することができ、さらに、その斜め方向の角度も調節可能であるリュックサックを提供する。【解決手段】荷物収容部２と、左右２本の肩紐３と、左右ベルト片５，６からなる胸ベルト４と、前記左右ベルト片５，６を着脱自在に接続する接続具７を有するリュックサック１において、左右各ベルト片５，６が左右各肩紐３に対して三角形を形成するように固定される手段を設ける。【選択図】図１
2017042472.tif 000002
【特許請求の範囲】
【請求項１】
荷物収容部（２）と、
左右２本の肩紐（３，３Ａ，３Ｂ）と、
左右ベルト片（５，６；５Ａ，６Ａ；５Ｂ，６Ｂ）からなる胸ベルト（４，４Ａ，４Ｂ）と、
前記左右ベルト片（５，６；５Ａ，６Ａ；５Ｂ，６Ｂ）を着脱自在に接続する接続具（７，７Ａ，７Ｂ）を有するリュックサック（１）において、
前記左右各ベルト片が前記左右各肩紐に対して三角形を形成するように固定される手段を有することを特徴とするリュックサック。
【請求項２】
前記左右各ベルト片が前記左右各肩紐に対して三角形を形成するように固定される手段が、
前記左右ベルト片（５，６）がそれぞれ２本のベルト片（５１，５２；６１，６２）を有し、
各ベルト片（５１，５２；６１，６２）の肩紐（３）側が肩紐に糸（９）で縫いつけられたものである請求項１記載のリュックサック。
【請求項３】
前記左右各ベルト片が前記左右各肩紐に対して三角形を形成するように固定される手段が、
前記左右ベルト片がそれぞれ２本のベルト片（５１Ａ，５２Ａ；６１Ａ，６２Ａ）を有し、
前記各ベルト片（５１Ａ，５２Ａ）及び／又は前記肩紐（３Ａ）が複数の固定要素（８）を有し、
前記各ベルト片（５１Ａ，５２Ａ）の前記肩紐（３Ａ）側が選択された固定要素（８）に固定可能である請求項１記載のリュックサック。
【請求項４】
前記左右各ベルト片が前記左右各肩紐に対して三角形を形成するように固定される手段が、
記左右ベルト片がそれぞれ１本の三角ベルト片（４Ｂ）を有し、
前記三角ベルト片（４Ｂ）及び／又は前記肩紐（３Ｂ）は複数の固定要素（８Ｂ）を有し、
前記各三角ベルト片（４Ｂ）の前記肩紐側が選択された固定要素（８Ｂ）に固定可能である請求項１記載のリュックサック。
【発明の詳細な説明】
【技術分野】
【０００１】
本発明は、リュックサック、バックパック、デイパック、ナップザックなど様々な名称で呼ばれている背負い型のバッグ（以下、「リュックサック」と総称する）に関する。特に肩紐の位置を安定化させる機構を有するリュックサックに関する。
【背景技術】
【０００２】
リュックサックの肩紐は、不適当な長さ調節、荷物の重み、装着者のなで肩などのため、だんだん下に下がってくることがある。無理にその状態を続けると、姿勢が悪くなり、腰痛などの原因となることもある。
【０００３】
肩紐の位置を安定化させるために左右２本の紐の間を水平に胸ベルトで連結することが一般によく行われている。その他、特開２０００―２９６０１９では、肩紐がクロス状になるように接続具で固定される。
【先行技術文献】
【特許文献】
【０００４】
【特許文献１】特開２０００―２９６０１９
【発明の概要】
【発明が解決しようとする課題】
【０００５】
水平な胸ベルトの長さは調整可能とされていることが多いが、あくまで水平方向の位置安定化に留まる。しかし、肩紐は装着者の肩から脇腹に向けて湾曲して走るものであり、水平方向のみの位置安定化では不十分なことが多い。
【０００６】
上記特開２０００―２９６０１９は、肩紐の改良に関するものであり、胸ベルトに関するものではない。また、斜め角度の調整ができない。
【０００７】
本発明は、肩紐を斜め方向にも位置安定化することができるリュックサックを提供することを目的とする。さらに、その斜め方向の角度も調節可能であるリュックサックを提供することも目的とする。
【課題を解決するための手段】
【０００８】
上記課題を解決する本発明は、荷物収容部２と、左右２本の肩紐３，３Ａ，３Ｂと、左右ベルト片５，６；５Ａ，６Ａ；５Ｂ，６Ｂからなる胸ベルト４，４Ａ，４Ｂと、前記左右ベルト片５，６；５Ａ，６Ａ；５Ｂ，６Ｂを着脱自在に接続する接続具７，７Ａ，７Ｂを有するリュックサック１において、前記左右各ベルト片が前記左右各肩紐に対して三角形を形成するように固定される手段を有することを特徴とする（請求項１）。ここで、「三角形」というのは、肩紐３側が距離を置いた２地点、左右ベルト片５，６の接続具７側が頂点となる１地点を有し、これらの３地点を繋ぐと三角形となるという意味である。実際の輪郭は三角形以外（例えば円形、不定形など）であってもよい。
【０００９】
前記左右各ベルト片が前記左右各肩紐に対して三角形を形成するように固定される手段として、例えば次のような手段を採用することができる。
【００１０】
（ａ）前記左右各ベルト片が前記左右各肩紐に対して三角形を形成するように固定される手段が、前記左右ベルト片５，６がそれぞれ２本のベルト片５１，５２；６１，６２を有し、各ベルト片５１，５２；６１，６２の肩紐３側が肩紐に糸９で縫いつけられたものである（請求項２）。ここで、「２本のベルト片」というのは、分離した２本でなくても、１本を折り返したものであってもよい。
【００１１】
（ｂ）前記左右各ベルト片が前記左右各肩紐に対して三角形を形成するように固定される手段が、前記左右ベルト片がそれぞれ２本のベルト片５１Ａ，５２Ａ；６１Ａ，６２Ａを有し、前記各ベルト片５１Ａ，５２Ａ及び／又は前記肩紐３Ａが複数の固定要素８を有し、前記各ベルト片５１Ａ，５２Ａの前記肩紐３Ａ側が選択された固定要素８に固定可能である（請求項３）。ここで、「２本のベルト片」というのは、分離した２本でなくても、１本を折り返したものであってもよい。
【００１２】
（ｃ）前記左右各ベルト片が前記左右各肩紐に対して三角形を形成するように固定される手段が、記左右ベルト片がそれぞれ１本の三角ベルト片４Ｂを有し、前記三角ベルト片４Ｂ及び／又は前記肩紐３Ｂは複数の固定要素８Ｂを有し、前記各三角ベルト片４Ｂの前記肩紐側が選択された固定要素８Ｂに固定可能である（請求項４）。
【発明の効果】
【００１３】
本発明によれば、前記左右各ベルト片が前記左右各肩紐に対して三角形を形成するように固定される手段を有するので、肩紐を斜め方向に位置固定することが可能となる。その結果、リュックサックが装着者の背中にフィットしてぐらつくことがない。ひいては、装着者の姿勢がよくなり、腰痛などの原因を減少させることができる。
【００１４】
請求項２〜４は、前記左右各ベルト片が前記左右各肩紐に対して三角形を形成するように固定される手段の具体例である。他にも、左右各ベルト片を１本にするか２本以上にするか、固定は糸縫いによるのか、どのような固定要素を使用するのか、などの点において、さまざまに組み合わせることもできる。
【００１５】
以下、添付の図面に基づき、本発明の実施例を説明する。
【図面の簡単な説明】
【００１６】
【図１】本発明の実施例1に係るリュックサックの背面図である。
【図２】図１における胸ベルト部分の拡大図である。
【図３】本発明の実施例２に係るリュックサックの胸ベルト部分の拡大図である。
【図４】本発明の実施例３に係るリュックサックの胸ベルト部分の拡大図である。
【実施例１】
【００１７】
図１に示すように、本実施例のリュックサック１は、荷物収容部２と、左右２本の肩紐３（３１，３２）と、胸ベルト４を有する。
【００１８】
図１、図２に示すように、胸ベルト４は一対のベルト片５，６からなり、左右それぞれの肩紐３１，３２から装着者の腹部に向かって伸びている。各胸ベルト５，６の先端には雌雄要素７１，７２のいずれかが取り付けられており、これらの雌雄要素７１，７２が一体となって着脱可能な接続具７を構成している。
【００１９】
本実施例では、各胸ベルト５，６はそれぞれ少なくとも２本のベルト片５１，５２；６１，６２からなり、それぞれのベルト片末端は肩紐３（３１，３２）に対して糸９（９１，９２）で縫いつけられて固定されている。そのため、胸ベルトはＶ字型又はＹ字形となっており、肩紐３と共に三角形を形成している。「２本のベルト片」というのは、分離した２本でなくても、１本を折り返したものであってもよい。
【００２０】
本実施例の胸ベルトを使用すると、斜め方向から肩紐３が安定的に固定されるので、リュックサック１が装着者の背中にフィットしてぐらつくことがない。
【実施例２】
【００２１】
実施例１では、各胸ベルト４のベルト片末端はそれぞれ肩紐３に糸で縫いつけられて固定されている。図３に示す実施例２では、各胸ベルト４Ａは２本のベルト片５１Ａ，５２Ａからなり、それぞれのベルト片末端は肩紐３Ａにスナップボタン８（８１〜８８）で固定されている。そのためには、肩紐３Ａ側及び胸ベルト４Ａ側に雌雄のスナップボタン要素８１〜８９を予め設定しておく必要がある。各胸ベルト４ＡはＶ字型又はＹ字形となっており、肩紐３Ａと共に三角形を形成している。
【００２２】
実施例２によると、肩紐３Ａ側及び胸ベルト４Ａ側のスナップボタン要素８１〜８８を適当に選択することにより、胸ベルトの斜め角度を微調整することができる。
【実施例３】
【００２３】
図４に示す実施例３では、各胸ベルトは１本の三角形ベルト片４Ｂからなり、それぞれのベルト片末端は肩紐３Ｂにスナップボタン８Ｂ（８１Ｂ〜８８Ｂ）で固定されている。そのためには、肩紐３Ｂ側及び胸ベルト４Ｂ側に雌雄のスナップボタン要素８１Ｂ〜８８Ｂを予め設定しておく必要がある。胸ベルト側のスナップボタン要素はこの例では２個（８２Ｂ、８５Ｂ）設けられている。
【００２４】
実施例３によると、肩紐３Ｂ側及び胸ベルト４Ｂ側のスナップボタン要素８１Ｂ〜８８Ｂを適当に選択することにより、胸ベルト４Ｂの斜め角度を微調整することができる。
【符号の説明】
【００２５】
１     リュックサック
２     荷物収容部
３     肩紐
３Ａ   肩紐
３Ｂ   肩紐
３１，３２    肩紐
４     胸ベルト
４Ａ   胸ベルト
４Ｂ   胸ベルト
５，６ ベルト片
５１，５２    ベルト片
５１Ａ，５２Ａ       ベルト片
７     接続具
７Ａ   接続具
７Ｂ   接続具
７１，７２    雌雄要素
８     スナップボタン
８１-８８     スナップボタン要素
８Ｂ   スナップボタン
８１Ｂ-８８Ｂ スナップボタン要素
【図１】
2017042472.tif 000003
【図２】
2017042472.tif 000004
【図３】
2017042472.tif 000005
【図４】
2017042472.tif 000006